(57)【特許請求の範囲】
【請求項１】
連続用紙に対してオフセット輪転印刷機により印刷とインラインで貼り合わせ、切れ目の形成、折り曲げ、断裁を行うことにより生産される冊子状印刷物であって、当該冊子状印刷物は、矩形状の外側印刷紙片と、左右方向の寸法が外側印刷紙片の１／２であり、上下方向の寸法が外側印刷紙片の寸法と同一寸法の左内側印刷紙片と右内側印刷紙片とからなり、左内側印刷紙片の左側端部が外側印刷紙片の左側端部で接着され、右内側印刷紙片の右側端部が外側印刷紙片の右側端部で接着され、外側印刷紙片の左右方向の中央部にて左内側印刷紙片の右側端部と右内側印刷紙片の左側端部を突き合わせた状態で左右内側印刷紙片を内側にして２つ折した構成からなることを特徴とする冊子状印刷物。
【請求項２】
連続用紙に対してオフセット輪転印刷機により印刷とインラインで貼り合わせ、切れ目の形成、折り曲げ、断裁を行うことにより生産される冊子状印刷物であって、当該冊子状印刷物は、矩形状の外側印刷紙片と、左右方向の寸法が外側印刷紙片の１／２であり、上下方向の寸法が外側印刷紙片の寸法と同一寸法の左内側印刷紙片と右内側印刷紙片とからなり、左内側印刷紙片の左側端部が外側印刷紙片の左側端部で接着され、右内側印刷紙片の右側端部が外側印刷紙片の右側端部で接着され、外側印刷紙片の左右方向の中央部にて左内側印刷紙片の右側端部と右内側印刷紙片の左側端部を突き合わせた状態で左右内側印刷紙片を内側にして２つ折した構成からなり、外側印刷紙片は一の連続用紙に印刷により絵柄が形成されており、左内側印刷紙片及び右内側印刷紙片は前記一の連続用紙と同一幅を有する別の連続用紙に印刷により絵柄が形成された後に幅方向の中央部にて分割されており、左内側印刷紙片の左側端部及び右内側印刷紙片の右側端部は絵柄を印刷し分割する前の連続用紙における側端部であることを特徴とする冊子状印刷物。
【請求項３】
前記外側印刷紙片の寸法がＢ２サイズであることを特徴とする請求項１又は２に記載の冊子状印刷物。
【発明の詳細な説明】
【技術分野】
【０００１】
本発明は、観音開きにより左右方向に大きく広げて見ることができるチラシとしての使用に好適な冊子状印刷物に関する。
【背景技術】
【０００２】
従来、２つ折りされた紙片を広げ、更に両側端にて観音開きして左右方向に大きく見開ける印刷物に関する特許文献は見当たらないが、例えば、左右方向に長い四角形状の１枚の紙片を両側端部を１／４づつ内側に折り曲げ更に中央部にて折り曲げ片を内側にして左右方向に２つ折りした印刷物は知られている。しかしながら、この印刷物は１枚の紙片を左右方向に折り曲げた構成であるため、汎用の印刷機で印刷できる紙の寸法に限度があり折り畳んだ状態で大きくともＢ４又はＡ４程度の大きさのものしか製造できず、サイズを大きくできないためチラシとして使用した場合に、顧客に対する訴求効果に欠けるものであった。また、本出願人は、特許文献１にて、同一サイズの紙片を２枚重ねて一方の左右方向の端縁にて接着するか、ないしは１枚の紙片に左右方向の寸法が１／２である紙片を一方の左右方向の側端を揃えて重ね合わせて揃えた側端にて接着した構成の、左右方向に広げることのできるチラシとして使用できる冊子状印刷物及びその製造方法を提案した。この冊子状印刷物は、汎用のオフセット輪転印刷機等を使用して製造できる、左右方向に大きく広げることのできる印刷物であるが、同一サイズの紙片を２枚重ねて一方の左右方向の端縁にて接着した構成のものでは、紙片が大きいため左右方向に広げ難いし、１枚の紙片に左右方向の寸法が１／２である紙片を側端にて接着した構成のものでは、一方の側端に接着された紙片が広げられるだけであり、顧客に対する訴求効果が劣るという欠点を有している。
【先行技術文献】
【特許文献】
【０００３】
【特許文献１】特願２００１−２１６６９１号公報
【発明の概要】
【発明が解決しようとする課題】
【０００４】
本発明は、観音開きにより左右方向にパノラマ状に大きく広げて見ることができ、新聞折り込み用等のチラシとした場合に、顧客に対する訴求効果がきわめて大きい冊子状印刷物を提供することである。
【課題を解決するための手段】
【０００５】
連続用紙に対してオフセット輪転印刷機により印刷とインラインで貼り合わせ、切れ目の形成、折り曲げ、断裁を行うことにより生産される冊子状印刷物であって、当該冊子状印刷物は、矩形状の外側印刷紙片と、左右方向の寸法が外側印刷紙片の１／２であり、上下方向の寸法が外側印刷紙片の寸法と同一寸法の左内側印刷紙片と右内側印刷紙片とからなり、左内側印刷紙片の左側端部が外側印刷紙片の左側端部で接着され、右内側印刷紙片の右側端部が外側印刷紙片の右側端部で接着され、外側印刷紙片の左右方向の中央部にて左内側印刷紙片の右側端部と右内側印刷紙片の左側端部を突き合わせた状態で左右内側印刷紙片を内側にして２つ折した構成の冊子状印刷物である。
また、連続用紙に対してオフセット輪転印刷機により印刷とインラインで貼り合わせ、切れ目の形成、折り曲げ、断裁を行うことにより生産される冊子状印刷物であって、当該冊子状印刷物は、矩形状の外側印刷紙片と、左右方向の寸法が外側印刷紙片の１／２であり、上下方向の寸法が外側印刷紙片の寸法と同一寸法の左内側印刷紙片と右内側印刷紙片とからなり、左内側印刷紙片の左側端部が外側印刷紙片の左側端部で接着され、右内側印刷紙片の右側端部が外側印刷紙片の右側端部で接着され、外側印刷紙片の左右方向の中央部にて左内側印刷紙片の右側端部と右内側印刷紙片の左側端部を突き合わせた状態で左右内側印刷紙片を内側にして２つ折した構成からなり、外側印刷紙片は一の連続用紙に印刷により絵柄が形成されており、左内側印刷紙片及び右内側印刷紙片は前記一の連続用紙と同一幅を有する別の連続用紙に印刷により絵柄が形成された後に幅方向の中央部にて分割されており、左内側印刷紙片の左側端部及び右内側印刷紙片の右側端部は絵柄を印刷し分割する前の連続用紙における側端部であることを特徴とするものである。
【０００６】
上記の冊子状印刷物において、外側印刷紙片の寸法がＢ２サイズである構成である。
【発明の効果】
【０００７】
本発明の冊子状印刷物とすることにより、観音開きにより左右方向に大きくパノラマ状に広げて見ることができるので、顧客に対する訴求効果がきわめて大きく、例えば、外面に昼景を印刷し内面に夜景を印刷しておくことにより左右方向に開くことにより昼夜の景色を見ることができるし、また外面に外観を印刷し内面に内部構造を印刷しておくことにより左右方向に開くことにより外観と内部構造を見ることができる効果を有する。
【０００８】
請求項３にかかる発明では、冊子状印刷物を長手方向に２つ折りすることによりＢ４サイズとなるので２つ折された新聞に挿入可能となる。また、観音開きした状態で左右寸法がＢ２サイズの長手方向の２倍の寸法を有する印刷物となるので、家電製品など商品によっては原寸大で商品を掲載することが可能であり、顧客に対するインパクトが高く訴求効果の大きいチラシとすることができる。
【図面の簡単な説明】
【０００９】
【図１】本発明の実施形態を示す折り畳んだ状態の平面図。
【図２】図１におけるI−I断面図。
【図３】本発明の実施形態の半開き状態の斜視図。
【図４】本発明の冊子状印刷物を製造する際に２枚の連続用紙を揃えて重ね合わせ両側端部にて接着し一方の連続用紙の中央部に切目を形成した状態の平面図。
【図５】図４におけるII−II断面図。
【発明を実施するための形態】
【００１０】
以下、図面を引用して本発明の実施の形態を説明する。
図１は本発明の実施形態を示す折り畳んだ状態の平面図、図２は図１におけるI
−I断面図、図３は本発明の実施形態の半開き状態の斜視図、図４は本発明の冊
子状印刷物を製造する際に２枚の連続用紙を揃えて重ね合わせ両側端部にて接着し一方の連続用紙の中央部に切目を形成した状態の平面図、図５は図４におけるII−II断面図であって、１は外側印刷紙片、２は内側印刷紙片、３，４は接着部
、５は折目、６は切目、７は断裁線、Ａ，Ｂは連続用紙を表す。
【００１１】
本発明の冊子状印刷物の実施形態は、折り畳んだ平面図が図１に、折り畳んだ横断面図が図２に示すとおりであって、矩形状の外側印刷紙片１と、左右方向の寸法が外側印刷紙片１の１／２であり、上下方向の寸法が外側印刷紙片１の寸法と同一寸法の２枚の内側印刷紙片２からなり、２枚の内側印刷紙片２が外側印刷紙片１の両側端部で接着部３及び接着部４により接着され、外側印刷紙片１の左右方向の中央部にて内側印刷紙片２を内側にして２つ折した構成の左右方向に大きく観音開きできる冊子状印刷物である。
なお、本願では、２枚の内側印刷紙片２について、接着部３により接着される内側印刷紙片を右内側印刷紙片、接着部４により接着される内側印刷紙片を左内側印刷紙片と呼ぶこととする。
【００１２】
実施形態の冊子状印刷物を折り畳んだ状態から、外側印刷紙片１を折目５にて開き、更に、外側印刷紙片１の両端の接着部３及び接着部４で接着された２枚の内側印刷紙片２をそれぞれ左右方向に広げることができるので、図３に示すように、左右方向に観音開き状に大きく広げることが可能である。また、外側印刷紙片１の大きさをＢ２サイズとし、２枚の内側印刷紙片２を突き合わせた状態の大きさをＢ２サイズとすると、外側印刷紙片１の両端縁の接着部３及び接着部４にて内側印刷紙片２を両側に広げると、Ｂ２サイズを長手方向に２倍の大きさに広げることが可能となるため、冊子状印刷物を２つ折して２つ折された新聞に挿入可能なきわめて訴求効果の大きい新聞折り込み用チラシ等として使用できるものである。また、観音開きにより左右方向に大きくパノラマ状に広げて見ることができるので、例えば、外面に昼景を印刷し内面に夜景を印刷しておくことにより左右方向に開くことにより昼夜の景色を見ることができるし、また外面に外観を印刷しておき内面に内部構造を印刷しておくことにより左右方向に開くことにより外観と内部構造を見ることができる効果を有する。また、家電製品など商品によっては原寸大で商品を掲載するなどインパクトの高いチラシとすることができ、顧客に対する訴求効果をきわめて大きくすることができる。
【００１３】
実施形態の冊子状印刷物は、例えば、下記の方法で製造することができる。２台のオフセツト輪転印刷機等を使用して連続用紙Ａ及び連続用紙Ｂにそれぞれ同一ピッチの印刷版を使用して同一絵柄ピッチの印刷を行い、一方のオフセツト輪転印刷機にて印刷した連続用紙Ａの下に他方のオフセツト輪転印刷機にて印刷した連続用紙Ｂを反転ロールにて反転させて、連続用紙Ａ及び連続用紙Ｂの両側端を揃えるとともに絵柄ピッチが一致するように重ね合わせて、連続用紙Ａ及び連続用紙Ｂの両側端部を接着し、他方のオフセツト輪転印刷機にて印刷した連続用紙Ｂの左右方向の中央部に連続用紙の流れ方向に連続した切目６を形成して、図４、図５に示す状態とする。
【００１４】
図４、図５に示す状態から、他方のオフセツト輪転印刷機にて印刷され左右方向の中央部に流れ方向に連続した切目６が形成された印刷紙片Ｂを内側にして、左右方向の中央部の折目５、即ち、切目６の箇所にて２つ折りした後に、図４に示す断裁線７にて断裁することにより、実施形態の冊子状印刷物が作製されるものである。この方法を採用することにより、２台の汎用のオフセツト輪転印刷機等を使用して２枚の連続用紙に印刷し、印刷とインラインで、貼り合わせ、切目の形成、折り曲げ、断裁を行うことにより、効率的に印刷紙片の寸法がＢ２サイズの冊子状印刷物を大量生産することができる。
【００１５】
本発明の冊子状印刷物は、２台のオフセツト輪転印刷機で同一絵柄ピッチの印刷を行い、印刷した印刷紙片を絵柄ピッチが合うように重ね合わされるのであるが、同一ピッチの印刷版を使用して印刷しても、２台のオフセツト輪転印刷機で印刷された連続用紙の印刷絵柄ピッチにバラツキが発生するのは避けられないので、印刷された一方の連続用紙のテンションを調節することにより絵柄ピッチを合わせるようにしている。また、２台のオフセツト輪転印刷機は並列に配列してもよいし直線状に配列してもよく、その場合は、印刷された２枚の連続用紙を重ね合わせるための反転の方法が変わるだけである。
【００１６】
本発明の冊子状印刷物のように、観音開きした状態で左右寸法がＢ２サイズの長手方向の２倍の寸法を有する印刷物を、１枚の連続用紙に印刷して作製するためには、Ｂ２サイズの長手方向の２倍の寸法、即ち、７２８ｍｍ×２＝１４５６ｍｍ巾の用紙を印刷できる印刷機が必要となるが、そのような広巾の輪転印刷機は特殊仕様の印刷機となり汎用機ではない。これに対して、上記の冊子状印刷物を製造する方法では、２台のオフセツト輪転印刷機で印刷した印刷紙片を両端縁にて貼り合わせることにより、観音開きした際に左右方向にＢ２サイズの長手方向の２倍の大きさとすることができるので、特殊仕様の広幅の印刷機を使用せずに、汎用の印刷機により印刷して製造することが可能であり、高速で効率的に冊子状印刷物を製造することができるものである。
【符号の説明】
【００１７】
１                                外側印刷紙片
２                                内側印刷紙片
３，４                            接着部
５                                折目
６                                切目
７                                断裁線
Ａ，Ｂ                            連続用紙
【図１】
0004713657.tif 000002
【図２】
0004713657.tif 000003
【図３】
0004713657.tif 000004
【図４】
0004713657.tif 000005
【図５】
0004713657.tif 000006